(57)【要約】【課題】光源を支持するランプクリップがシャーシに装着された部位において、光源からの光がシャーシ背面へ漏れず、また異物の浸入が防止されるバックライト装置を提供すること。【解決手段】本発明により提供されるバックライト装置２０では、ランプクリップ４０は、光源２２を保持する光源保持部４２と、シャーシ３０に係止される係止部４６とを備えており、シャーシ３０は、該シャーシ３０の底面３０ａにおいてランプクリップ４０の係止部４６が挿入される凹陥部３２を備えている。ランプクリップ４０は、凹陥部３２に挿入された係止部４６が該凹陥部３２の内周壁部３３に形成された係合部３４に係止されることにより、シャーシ３０に装着されることを特徴とする。【選択図】図４Ａ
2010135152.tif 000002
【特許請求の範囲】
【請求項１】
光源と、
前記光源を保持するランプクリップと、
前記ランプクリップが装着されたシャーシであって該ランプクリップに保持された光源が収容されるシャーシと、
を備えるバックライト装置であって、
前記ランプクリップは、前記光源を保持する光源保持部と、前記シャーシに係止される係止部とを備えており、
前記シャーシは、該シャーシの底面において前記ランプクリップの係止部が挿入される凹陥部を備えており、
前記ランプクリップは、前記凹陥部に挿入された前記係止部が該凹陥部の内周壁部に形成された係合部に係止されることにより、前記シャーシに装着されることを特徴とする、バックライト装置。
【請求項２】
前記係止部の先端部分には、一対の係止爪が前記凹陥部の内周壁部に向くように該係止部の挿入方向に対して略垂直に屈曲するように形成されており、
前記シャーシにおける前記凹陥部の内周壁部には、前記一対の係止爪に対応するように一対の前記係合部が形成されており、
ここで前記係合部は、前記一対の係止爪が係合されるように形成されていることを特徴とする、請求項１に記載のバックライト装置。
【請求項３】
前記係止部は、前記光源保持部から前記挿入方向に沿って延びる一対の板ばね部を備えており、前記一対の板ばね部の各先端部分には、前記係止爪がそれぞれ形成されていることを特徴とする、請求項２に記載のバックライト装置。
【請求項４】
前記光源として、複数の線状光源が互いに平行になるように並列に配設されており、
前記シャーシの底面において前記線状光源の長手方向に沿って形成された互いに平行な複数の溝状の凹陥部が形成されており、
該凹陥部の内周壁部には、前記長手方向に沿って少なくとも一つの係合部が形成されており、
ここで前記ランプクリップは、複数の前記線状光源をそれぞれ保持する複数の前記光源保持部を備えているとともに、前記係止部は、少なくとも二つの溝状の凹陥部に挿入され、それぞれの凹陥部の内周壁部に形成された係合部に係止されるように構成されていることを特徴とする、請求項１〜３のいずれかに記載のバックライト装置。
【請求項５】
前記光源として、複数の線状光源が互いに平行になるように並列に配設されており、
前記シャーシの底面において前記線状光源の長手方向に直交する方向に沿って形成された互いに平行な複数の溝状の凹陥部が形成されており、
該凹陥部の内周壁部には、前記直交する方向に沿って少なくとも一つの係合部が形成されており、
ここで前記ランプクリップは、複数の前記線状光源をそれぞれ保持する複数の前記光源保持部を備えているとともに、前記係止部は、一つの溝状の凹陥部の内周壁部に形成された複数の係合部に係止されるように構成されていることを特徴とする、請求項１〜３のいずれかに記載のバックライト装置。
【請求項６】
前記係合部は、前記凹陥部の内周壁部の一部に形成された略矩形状の穿孔であり、該穿孔に前記係止部の少なくとも一部が嵌り込むことにより、前記ランプクリップが前記シャーシに装着されることを特徴とする、請求項１〜５のいずれかに記載のバックライト装置。
【請求項７】
前記係合部として、前記凹陥部の内周壁部の一部に非貫通の凹部が形成されており、該凹部に前記係止部の少なくとも一部が嵌り込むことにより、前記ランプクリップが前記シャーシに装着されることを特徴とする、請求項１〜５のいずれかに記載のバックライト装置。
【請求項８】
請求項１〜７のいずれかに記載のバックライト装置を備えた表示装置。
【発明の詳細な説明】
【技術分野】
【０００１】
本発明は、バックライト装置および該バックライト装置を備える表示装置に関する。
【背景技術】
【０００２】
近年、テレビ、パソコン等の画像表示装置（ディスプレイ）として用いられている液晶表示装置の大型化が進んでいる。かかる大型化に伴い、液晶パネルの光源であるバックライト装置も大型になり、例えば直下式バックライト装置に設けられる長尺な線状光源（例えば線状の冷陰極蛍光管）も液晶パネルの大型化に伴ってより長い形状のものが使用されるようになっている。
【０００３】
このような直下式バックライト装置は、典型的には、上記線状光源を保持するためのランプクリップ（光源保持具）を備えており、該ランプクリップは、上記線状光源が収容されるシャーシ（典型的には該シャーシの底面）に上記線状光源の長手方向に沿って所定間隔で配置されている。かかるランプクリップとしては、例えば、図９に示されるように、上記シャーシ２３０の底面２３０ａに形成された貫通孔２３２に該ランプクリップ２４０の先端を挿入し、その先端部に形成された爪部２４７を上記シャーシ２３０の背面側の上記貫通孔２３２周囲に係止することで上記ランプクリップ２４０の脱離を防止するように構成されたものが挙げられる。なお、図９における符号２２２は線状光源（本例では蛍光管）、および符号２２６はシャーシ２３０の底面２３０ａ上に配置された反射部材をそれぞれ示す。
【０００４】
このような構成のランプクリップを備えたバックライト装置では、シャーシの底板に貫通孔が形成されているため、上記蛍光管を点灯した際に上記貫通孔と該貫通孔に挿通されたランプクリップとの間の隙間から上記蛍光管の光が外部に漏れる虞がある。特に、ランプクリップが光透過性の高い合成樹脂製である場合には、上記蛍光管で生じた光の一部がランプクリップの内部を透過するためにより多くの光がシャーシの背面側に漏れ、かかる光漏れによって、表示装置としての質感を下げる虞がある。さらに、上記貫通孔からバックライト装置内部に埃等の異物が侵入する虞もある。
【０００５】
上記のようなシャーシの背面側への光漏れや異物の浸入を防止する技術は、種々提案されている。例えば、特許文献１では、バックライトアセンブリにおける収納容器のボトムモールド（シャーシの底面部）にランプサポート（ランプクリップ）を一体に形成することにより収納容器からの光漏れを防止する技術が提案されている。しかし、かかる技術では、シャーシとランプクリップとを一体成形するにあたり、両者を異なる材質（例えば金属と樹脂）で一体的に成形することは難しく、また、成形用の金型も複雑形状となって扱いづらい。
なお、上記技術のほかに、光漏れを防止する技術として、特許文献２および３に記載の技術が提案されている。かかる技術では、ランプクリップを挿入する挿入孔とこれに連なる保持孔とからなる嵌合孔を備えるシャーシに対して、挿入孔にランプクリップを挿入後、該クリップを捻って保持孔に嵌合させ、上記嵌合孔を該クリップで覆うことにより上記嵌合孔からシャーシ背面へ漏れる光を遮断しているが、かかる技術よりもさらに取付け容易な技術がより一層好ましい。
【０００６】
【特許文献１】特開２００６−１８５９０８号公報
【特許文献２】特開２００８−００４５６７号公報
【特許文献３】特開２００８−０４１６７２号公報
【発明の開示】
【発明が解決しようとする課題】
【０００７】
本発明は上記従来の問題点に鑑みてなされたものであり、その主な目的は、光源を支持するランプクリップがシャーシに装着された部位において、光源からの光がシャーシ背面へ漏れず、また異物の浸入が防止されるバックライト装置を提供することである。また、他の目的は、そのようなバックライト装置を備えた表示装置を提供することである。
【課題を解決するための手段】
【０００８】
上記目的を実現するべく、本発明によって提供されるバックライト装置は、光源と、該光源を保持するランプクリップと、該ランプクリップが装着されたシャーシであって該ランプクリップに保持された光源が収容されるシャーシと、を備える。本発明に係るバックライト装置では、上記ランプクリップは、上記光源を保持する光源保持部と、上記シャーシに係止される係止部とを備えており、上記シャーシは、該シャーシの底面において上記ランプクリップの係止部が挿入される凹陥部を備えている。また、上記ランプクリップは、上記凹陥部に挿入された上記係止部が該凹陥部の内周壁部に形成された係合部に係止されることにより、上記シャーシに装着されることを特徴とする。
本発明に係るバックライト装置は、ランプクリップの係止部を挿入させる凹陥部を備えているため、シャーシの背面側に上記係止部を貫通させることなく、かかるランプクリップをシャーシに装着することができる。
したがって、本発明に係るバックライト装置によると、外部からバックライト装置内への異物混入や、光源から上記シャーシの背面側への光漏れが防止され、該バックライト装置を備える表示装置の良好な質感を容易に実現することができる。
【０００９】
ここで開示されるバックライト装置の好ましい一態様では、上記係止部の先端部分には、一対の係止爪が上記凹陥部の内周壁部に向くように該係止部の挿入方向に対して略垂直に屈曲するように形成されている。そして、上記シャーシにおける上記凹陥部の内周壁部には、上記一対の係止爪に対応するように一対の上記係合部が形成されている。ここで上記係合部は、上記一対の係止爪が係合されるように形成されていることを特徴とする。
かかる構成のバックライト装置では、ランプクリップの係止部をシャーシ底面部の凹陥部に挿入すると、上記係止部の先端部分に形成された係止爪が、上記凹陥部の内周壁部に形成された係合部に係合されることにより、上記ランプクリップをシャーシの底面部に確実に装着することができる。
【００１０】
上記係止爪が形成された構成のランプクリップを備えるバックライト装置において、さらに好ましい一態様では、上記係止部は、上記光源保持部から上記挿入方向に沿って延びる一対の板ばね部を備えており、上記一対の板ばね部の各先端部分には、上記係止爪がそれぞれ形成されていることを特徴とする。
かかる構成のバックライト装置では、上記ランプクリップの係止部を凹陥部に挿入する際には、一対の板ばね部が互いに接近するように容易に変形するので容易に挿入することができる。また、挿入後に上記係止爪が上記係合部に係合されると、かかる板ばね部は弾性力にて上記変形が復元することにより、上記係止爪が係合部に係合された状態が維持され、上記ランプクリップがシャーシの底面部に確実に装着されるので好ましい。
【００１１】
ここで開示されるバックライト装置の別の好ましい一態様では、上記光源として、複数の線状光源が互いに平行になるように並列に配設されている。そして、上記シャーシの底面において上記線状光源の長手方向に沿って形成された互いに平行な複数の溝状の凹陥部が形成されている。また、該凹陥部の内周壁部には、上記長手方向に沿って少なくとも一つの係合部が形成されている。ここで上記ランプクリップは、複数の上記線状光源をそれぞれ保持する複数の上記光源保持部を備えているとともに、上記係止部は、少なくとも二つの溝状の凹陥部に挿入され、それぞれの凹陥部の内周壁部に形成された係合部に係止されるように構成されていることを特徴とする。
あるいはまた、上記光源として、複数の線状光源が互いに平行になるように並列に配設されている。上記シャーシの底面において上記線状光源の長手方向に直交する方向に沿って形成された互いに平行な複数の溝状の凹陥部が形成されている。該凹陥部の内周壁部には、上記直交する方向に沿って少なくとも一つの係合部が形成されている。ここで上記ランプクリップは、複数の上記線状光源をそれぞれ保持する複数の上記光源保持部を備えているとともに、上記係止部は、一つの溝状の凹陥部の内周壁部に形成された複数の係合部に係止されるように構成されていることを特徴とする。
【００１２】
かかる構成のバックライト装置では、一つのランプクリップにつき複数の線状光源を保持することができるので、シャーシ底面に装着されるランプクリップの数を減じることができるとともに、装着にかかる時間と手間を減じることができる。また、上記シャーシに複数の溝状凹陥部が形成されていることにより、上記ランプクリップが保持し得る線状光源の数（すなわち一つのランプクリップが備える光源保持部の数）に合わせて、該ランプクリップを挿入する溝状凹陥部を適宜選択することができる。さらに、シャーシ底面に複数の溝状凹陥部が形成されることから、はりやねじれに対するシャーシの強度（剛性）が向上する。
【００１３】
ここで開示されるバックライト装置の別の好ましい一態様では、上記係合部は、上記凹陥部の内周壁部の一部に形成された略矩形状の穿孔であり、該穿孔に上記係止部の少なくとも一部が嵌り込むことにより、上記ランプクリップが前記シャーシに装着されることを特徴とする。
かかる構成のバックライト装置では、上記係合部が略矩形状の穿孔であることにより、ランプクリップの係止部の少なくとも一部（例えば上記係止爪）が、該穿孔内に嵌り込む（例えば該穿孔の内周側面の上端部に上記係止爪が係合する）ので、上記ランプクリップを上記シャーシ底面に確実に装着できる。
【００１４】
ここで開示されるバックライト装置のより好ましい一態様では、上記係合部として、上記凹陥部の内周壁部の一部に非貫通の凹部が形成されており、該凹部に上記係止部の少なくとも一部が嵌り込むことにより、上記ランプクリップが上記シャーシに装着されることを特徴とする。
かかる構成のバックライト装置は、上記係合部として上記非貫通の凹部を備えていることにより、上記ランプクリップを上記シャーシ底面に確実に装着できるとともに、上記凹部が非貫通であることから、該凹部を介した外部への光漏れや外部からの異物侵入を確実に防止することができる。
【００１５】
本発明は、他の側面として、ここで開示されるバックライト装置を備えた液晶表示装置を提供する。
本発明に係る液晶表示装置は、上記のようなバックライト装置を備えているので、かかる液晶表示装置によると、光源を支持するランプクリップがシャーシに装着された部位における光漏れや異物浸入の防止が実現される。
【発明を実施するための最良の形態】
【００１６】
以下、図面を参照しながら、本発明の好適ないくつかの実施形態を説明する。以下、透過型液晶表示装置１００を例にして本発明の表示装置の構成について詳細に説明するが、本発明をかかる実施形態に記載されたものに限定することを意図したものではない。また、各図における寸法関係（長さ、幅、厚さ等）は実際の寸法関係を反映するものではない。なお、本明細書において特に言及している事項（例えば、バックライト装置の構成）以外の事柄であって本発明の実施に必要な事柄（例えば、液晶パネルの構成や構築方法、または片側駆動方式に係る電気回路等）は、当該分野における従来技術に基づく当業者の設計事項として把握され得る。本発明は、本明細書に開示されている内容と当該分野における技術常識とに基づいて実施することができる。
【００１７】
以下、図１〜図６を参照しながら、本発明の好ましい一実施形態（例１）に係るバックライト装置２０、および該バックライト装置２０を備えた透過型液晶表示装置１００について説明する。図１は、本実施形態（例１）に係るバックライト装置２０を備えた液晶表示装置１００の構成を模式的に示す分解斜視図である。図２は、本実施形態に係るバックライト装置２０を備えた液晶表示装置１００の構成を模式的に示す断面図である。図３は、本実施形態に係るバックライト装置２０におけるシャーシ３０に対する線状光源２２とランプクリップ４０の配置を模式的に示す平面図である。図４Ａは、図２で囲まれるＩＶ部分を拡大した図である。図４Ｂは、係合部３４とは異なる形態の係合部３５にランプクリップ４０が装着された状態を示す模式的な断面図である。図５は、シャーシ３０の底面３０ａを模式的に示す平面図である。図６は、シャーシ３０の底面３０ａに形成された凹陥部３２に挿入される状態のランプクリップ４０を示す模式的な斜視図である。
なお、以下の図面において、同じ作用を奏する部材、部位には同じ符号を付し、重複する説明は省略または簡略化することがある。また、各図における寸法関係（長さ、幅、厚さ等）は、必ずしも実際の寸法関係を正確に反映するものではない。また、以下の説明において、「前方」または「表側」とは液晶表示装置１００における視聴者に面する側（すなわち液晶パネル側）をいい、「後方」または「裏側」とは液晶表示装置１００における視聴者に面しない側（すなわちバックライト側）をいうこととする。
【００１８】
図１および図２を参照しつつ、液晶表示装置１００の構成について説明する。図１に示されるように、液晶表示装置１００は、液晶パネル１０と、該液晶パネル１０の裏側（図１における下側）に配置された外部光源であるバックライト装置２０とを備えており、これらはベゼル１８やフレーム２８等により組み付けられることで一体的に保持されている。
【００１９】
図１および図２に示されるように、液晶パネル１０は、概して、全体として矩形の形状を有しており、その中央領域に画素が形成されている領域であって画像を表示する表示領域を有している。また、この液晶パネル１０は、互いに対向する一対の透光性のガラス基板１１，１２と、その間に封入された液晶層１３とから構成されるサンドイッチ構造を有している。かかる基板１１，１２には、製造工程でそれぞれマザーガラスと称される大型の母材から切り出されたものを使用している。上記一対の基板１１，１２のうち、表側がカラーフィルタ基板（ＣＦ基板）１２であり、裏側がアレイ基板１１である。なお、基板１１および１２の周縁部（液晶パネル１０における周縁部）には、上記表示領域の周囲を囲むようにシール材１５が設けられており、液晶層１３を封止している。液晶層１３は、液晶分子を含む液晶材料から構成される。かかる液晶材料は、基板１１，１２の間の電界印加に伴って液晶分子の配向が操作され光学特性が変化する。液晶層１３には、かかる層１３の厚み（ギャップ）を確保するためのスペーサ（図示せず）が典型的には複数箇所に配置されている。また、両基板１１，１２における互いに対向する側（内側）の面には、それぞれ液晶分子の配向方向を決定する図示しない配向膜が形成されており、対向しない側（外側）の面には、それぞれ偏光板１６および１７が貼り付けられている。
【００２０】
ここで開示される液晶パネル１０は、アレイ基板１１の表側（液晶層１３に臨む側）には、画像を表示させるための画素が配列しており、各画素を駆動するための複数の図示しないソース配線およびゲート配線が格子状のパターンをなすように形成されている。かかる配線に囲まれた各格子領域には、（サブ）画素電極およびスイッチング素子である薄膜トランジスタ（ＴＦＴ）が設けられている。画素電極は、典型的には透明な導電材料であるＩＴＯ（Ｉｎｄｉｕｍ  Ｔｉｎ  Ｏｘｉｄｅ：インジウム酸化スズ）からなり、これらの画素電極には、画像に応じた電圧が上記ソース配線および薄膜トランジスタを介して所定のタイミングで供給される。
他方、ＣＦ基板１２には、上記アレイ基板１１の１つの画素電極に対してＲ（赤），Ｇ（緑），Ｂ（青）のいずれか１つのカラーフィルタが対向しているとともに、該各色のカラーフィルタを区画するブラックマトリクス、さらに該カラーフィルタとブラックマトリクスの表面上に一様に形成された共通電極（透明電極）が設けられている。
また、図１に示されるように、上記ソース配線およびゲート配線は、典型的には液晶パネル１０の周辺に設けられた外部駆動回路（ドライバＩＣ）１４であって画像信号等を供給可能な外部駆動回路１４に接続されている。
なお、上述した画素の構成や電極の配線自体は、従来の液晶パネルを製造する場合と同様でよく、本発明を特徴付けるものではないため、これ以上の詳細な説明は省略する。
【００２１】
次に、図１〜図６を参照しつつ本実施形態の液晶表示装置１００に係るバックライト装置２０の構成について説明する。
バックライト装置２０は、図１〜図３に示されるように、視聴方向の裏側から光を照射して、液晶パネル１０を照明するための装置である。かかるバックライト装置２０は、大まかにいって、複数本の線状光源２２と、各線状光源２２をランプクリップ４０に保持した状態で収容するシャーシ（ケース）３０とから構成されている。
かかるシャーシ３０の表側には、複数のシート状の光学部材２４が積層されて配置されている。光学部材２４の構成としては、例えば、バックライト装置２０側から順に、拡散板、拡散シート、レンズシート、および輝度上昇シートから構成されているが、この組合せおよび順序に限定されない。さらに、光学部材２４の表側には、略枠状のフレーム２８が設けられており、該フレーム２８は、光学部材２４をシャーシ３０に挟んで保持するとともに、ベゼル１８とともに液晶パネル１０をその前後両側から狭持している。なお、シャーシ３０の裏側には、インバータ回路を搭載するための図示しないインバータ回路基板と、各線状光源２２に電力を供給する昇圧回路としての図示しないインバータトランスが設けられているが、本発明を特徴付けるものではないため説明は省略する。
【００２２】
線状光源２２は、図１および図３に示されるように、一方向に細長い管状（線状）をなしており、複数本の該線状光源２２は、その長手方向（軸線方向）１が互いに平行となっている（すなわち並列している）とともに、長手方向１がシャーシ３０の長手方向（長辺方向）に沿うようにして所定間隔でシャーシ３０内に配置されて（収容されて）いる。線状光源２２は、それぞれその両端部に図示しない電極部を備えている。かかる線状光源２２が例えば両側駆動方式で点灯する場合には上記両端部の電極部に、あるいは片側駆動方式で点灯する場合にはどちらか一方の端部における電極部に、図示しない給電用のリード線を介して上記インバータトランスが接続されている。線状光源２２がこのような構成であることにより、かかる線状光源２２には、シャーシ３０の裏側に配置された上記インバータ回路基板のインバータトランスから上記電極部を介して高電圧交流電圧が供給される。なお、線状光源２２が片側駆動方式である場合には、上記両端部のうちの他方の端部における電極部には、典型的には図示しない接地用のリード線が接続されている。
【００２３】
シャーシ３０は、図１および図２に示されるように、表側に向けて開口した箱形形状を有しており、上記複数の線状光源２２を、底面３０ａに装着されている後述のランプクリップ４０により保持した状態で収容している。かかるシャーシ３０の底面３０ａには、線状光源２２の光を効率的に視聴者側に反射させるための反射部材２６が該底面３０ａ上に配設されている。本実施形態に係る反射部材２６には、ランプクリップ４０を挿通させるための挿通孔２７が形成されており、かかる反射部材２６は、該挿通孔２７にランプクリップ４０を挿通させた状態で上記底面３０ａを覆うようにして（該底面３０ａと線状光源２２との間に）配置されている。なお、上記挿通孔２７は、後述のシャーシ３０の底面３０ａに形成される凹陥部３２（図４Ａ参照）に対応するように形成されていればよい。あるいは、かかる挿通孔２７が形成される数と位置は、装着されるランプクリップ４０に対応させてもよい。
【００２４】
シャーシ３０の底面３０ａには、図４Ａに示されるように、後述のランプクリップ４０の係止部４６が挿入される凹陥部３２が形成されている。本実施形態に係る凹陥部３２は、図４Ａおよび図５に示されるように、平面視矩形状（すなわち凹陥部３２の開口面が矩形状）にシャーシ３０の裏側方向に向けて凹んでおり、その矩形状の凹陥部３２を構成する４面の内周壁部３３のうち対向する２面に係合部３４を備えている。係合部３４の好ましい形態としては、図４Ａに示されるように、内周壁部３３（のうちの対向する２面）の一部に、例えば略矩形状（角孔状）に形成された穿孔としての係合部３４が挙げられる。あるいは、別の好ましい形態としては、図４Ｂに示されるように、内周壁部３３の一部に形成された非貫通の凹部としての係合部３５が挙げられる。かかる形態の係合部３４を備えた凹陥部３２は、シャーシ３０の底面３０ａにランプクリップ４０を挿通して係止するために直接形成された貫通孔（図９における貫通孔２３２参照）に比べて、線状光源２２からの光が該係合部３４を介してバックライト装置２０の外部へ漏れることや、あるいは外部から異物が侵入することをより効果的に防止することができる。特に、非貫通の係合部３５を備えた凹陥部３２の場合では、かかる光漏れや異物浸入を確実に防止することができる。係合部３４，３５の開口部分の大きさは、ランプクリップ４０の後述の係止部４６の少なくとも一部（典型的には上記係止部４６の先端部分に形成された係止爪４７）が確実に係合するのに適した大きさであればよい。以上のように、凹陥部３２は、その内周壁部３３に上記係合部３４または３５を備えているので、ランプクリップ４０の係止部４６を凹陥部３２に挿入すると、該係止部の４６の少なくとも一部が該係合部３４または３５に嵌り込み、上記ランプクリップ４０は確実に凹陥部３２に係止されることとなる。
【００２５】
上記のような構成の凹陥部３２は、図５に示されるように、上記シャーシ３０の底面３０ａにおいて、上記複数の線状光源２２が配置される位置に対応するように長手方向１に沿う所定間隔ごとに形成されている。凹陥部３２が上記底面３０ａに形成される数および位置については、上記底面３０ａに装着され得るランプクリップ４０（図３参照）の数および位置に対応させればよく、あるいは、該装着され得るランプクリップ４０の数以上の凹陥部３２を適当な位置に予め配設しておいてもよい。本実施形態では、図３および図５に示されるように、凹陥部３２は、装着されるランプクリップ４０に対応するように形成されており、１本の線状光源２２につき長手方向１に沿って３箇所ずつ形成されている。
【００２６】
上記線状光源２２を保持してシャーシ３０に収容するためのランプクリップ４０は、該ランプクリップ４０自体が線状光源２２からの光を過度に遮ったり乱反射したりすることのないように例えば白色に着色された（典型的には樹脂製の）部品である。かかるランプクリップ４０は、シャーシ３０の底面３０ａの所定箇所に複数個配置され、反射部材２６で覆われた上記底面３０ａに装着されている。本実施形態では、ランプクリップ４０は、図３に示されるように、１本の線状光源２２につき、その長手方向１の両端部およびその中央部の計３箇所で支持するように配置されて該線状光源２２を保持している。
ランプクリップ４０は、図４Ａおよび図４Ｂに示されるように、線状光源２２を保持する光源保持部４２と、後述のシャーシ３０の底面３０ａにおける凹陥部３２に係止される係止部４６とを備えるとともに、かかる光源保持部４２と係止部４６との間に薄板状の基板部４４を備える。
【００２７】
ランプクリップ４０における光源保持部４２は、従来のランプクリップと同様の構成でよく、例えば図４Ａおよび図４Ｂに示されるように、上端部に切欠きを有する略円環状に形成されている。かかる形状により、線状光源２２は、該切欠き部分から挿入されて、上記円環部分の内周部分に線状光源２２の外周側面が内接するように光源保持部４２に保持される。また、光源保持部４２は、その下端部に形成された支柱部４３を介して基板部４４に固定されている。
【００２８】
ランプクリップ４０における係止部４６は、図４Ａおよび図４Ｂに示されるように、所定間隔（上記凹陥部３２の開口幅に対応した間隔）を有して互いに対向する一対の板ばね部４６ａ，４６ｂ（以下、単に「一対の板ばね部４６ａ，ｂ」とする。）であって基板部４４から垂直に延びる一対の板ばね部４６ａ，ｂを備えている。また、該一対の板ばね部４６ａ，ｂの各先端部分には、係止爪４７が形成されている。かかる係止爪４７は、上記係止部４６を上記シャーシ３０の底面３０ａにおける凹陥部３２に挿入する方向に対して略垂直に屈曲し、上記凹陥部３２の内周壁部３３に向くように形成されている。係止爪４７がこのような形状を有していることにより、上記ランプクリップ４０が凹陥部３２に係止された際には、図４Ａおよび図４Ｂに示されるように、係止爪４７は上記係合部３４（または係合部３５）における内周側面部３４ａ（または内周側面部３５ａ）あるいは開口周縁部３７（または開口周縁部３９）の一部に係合する。このとき、該係合部３４，３５の開口周縁部３７，３９の下縁部分３７ａ，３９ａにも係止爪４７が係合し得るように、該係止爪４７の裏側部分に係合溝４９を形成した構成であってもよい。
【００２９】
ランプクリップ４０における基板部４４は、図４Ａおよび図４Ｂに示されるように、該ランプクリップ４０が上記凹陥部３２に係止された際に、該凹陥部３２（および反射部材２６の挿通孔２７）を覆い塞ぐようにして上記凹陥部３２（厳密には反射部材２６）上に（例えば平面視矩形状に）形成されている。また、かかる基板部４４は、上述のように、その表側には光源保持部４２を支持する支柱部４３と、裏側には上記係止部４６における一対の板ばね部４６ａ，ｂとがそれぞれ設けられている。ランプクリップ４０がかかる基板部４４を備えていることにより、凹陥部３２が塞がれて外部への光漏れや外部からの異物混入が効果的に防止される。
【００３０】
上記構成のシャーシ３０の底面３０ａに上記ランプクリップ４０を装着する際には、図６に示されるように、まず、シャーシ３０の底面３０ａに反射部材２６を重ね、該反射部材２６を、挿通孔２７と凹陥部３２の開口部分とが重なり合うようにして配置する。このようにして反射部材２６で覆われた底面３０ａにおける凹陥部３２に対して、ランプクリップ４０の係止部４６を挿入する。ここで、かかる係止部４６は一対の板ばね部４６ａ，ｂを備えるため、係止部４６を上記凹陥部３２へ挿入すると、一対の板ばね部４６ａ，ｂは互いに接近するように変形し、該係止部４６は、上記板ばね部４６ａ，ｂの先端部分における係止爪４７を上記凹陥部３２の内周壁部３３に摺接させながら挿入されていく。このように係止部４６の挿入時に一対の板ばね部４６ａ，ｂが変形することにより、上記係止部４６は凹陥部３２内へ容易に挿入される。次いで、上記係止爪４７が、上記内周壁部３３に形成された係合部３４に到達して該係合部３４内に嵌り込んで係合されると、上記変形していた一対の板ばね部４６ａ，ｂは弾性力にて復元し、上記係止爪４７が係合部３４に係合された状態が維持される。また、このとき上記基板部４４の裏側面が上記底面３０ａ（厳密には反射部材２６）の表面に接するので、該ランプクリップ４０の装着により、凹陥部３２の開口部分および反射部材２６の挿通孔２７（すなわち光漏れや異物混入の経路となり得る箇所）が閉塞される。なお、係合部３５を備える凹陥部３２にランプクリップ４０を係止する場合にも上記と同様である。
このようにして、上記ランプクリップ４０は凹陥部３２に係止され、シャーシ３０の底面３０ａに確実に装着される。
【００３１】
以上のように、本実施形態に係るバックライト装置２０では、線状光源２２を保持するランプクリップ４０を上記シャーシ３０の底面３０ａに係止するための係止構造として、該ランプクリップ４０の係止部４６を上記底面３０ａに形成された凹陥部３２に挿入させ、該凹陥部３２の内周壁部３３に形成された係合部３４または３５に係止部４６の一部（係止爪４７）を係合させる構成としている。このことにより、かかるバックライト装置２０は、上記底面３０ａに直接ランプクリップ４０の係止部４６を挿通させるための貫通孔を設けて該貫通孔に係止部４６を挿通して係止させる構成よりも、光漏れや異物混入の防止をより高いレベルで実現することができる。
【００３２】
以上、本発明を好適な実施形態により説明してきたが、こうした記述は限定事項ではなく、勿論、種々の改変が可能である。例えば、上記実施形態では、ランプクリップ４０は、該一つのランプクリップ４０につき一つの光源保持部４２を備えており、該ランプクリップ４０が略矩形状の凹陥部３２に係止される構成であったが、他の実施形態として、複数の光源保持部を備えたランプクリップが、溝状の凹陥部に係止される構成であってもよい。以下、図面を参照しつつ他の実施形態について説明する。図７Ａは、他の実施形態（例２）に係るシャーシ３０の底面３０ａに形成された溝状の凹陥部５２を模式的に示す平面図である。図７Ｂは、他の実施形態（例２）に係るランプクリップ６０を模式的に示す正面図である。図７Ｃは、他の実施形態（例２）に係るシャーシ３０に対する線状光源２２とランプクリップ６０の配置を模式的に示した平面図である。図８Ａは、他の実施形態（例３）に係るシャーシ３０の底面３０ａに形成された溝状の凹陥部７２を模式的に示す平面図である。図８Ｂは、他の実施形態（例３）に係るランプクリップ８０を模式的に示す斜視図である。
【００３３】
例えば、他の一実施形態（例２）に係るバックライト装置は、図７Ａおよび図７Ｃに示されるように、複数の線状光源２２が互いに平行になるように並列しており、その長手方向１に沿って各線状光源２２が配置される位置に対応するように形成された複数の溝状の凹陥部（横溝部）５２を備えている。そして、かかる横溝部５２の内周壁部５３には、複数の係合部５４が形成されている。また、このバックライト装置は、図７Ｂに示されるように、複数の光源保持部６２（図７Ｂでは３つの光源保持部６２ａ，６２ｂ，６２ｃ）と一つの係止部６６を有するランプクリップ６０を備えており、該係止部６６は、一対の板ばね部６６ａ，６６ｂ（以下、単に「一対の板ばね部６６ａ，ｂ」とする。）を備え、該板ばね部６６ａ，ｂの先端部分には係止爪６７が形成されている。ここで、かかる一対の板ばね部６６ａ，ｂは、互いに対向する方向が上記長手方向１と略直交するような向きで形成されている。
【００３４】
かかるランプクリップ６０を上記横溝部５２に係止させる場合には、上記一対の板ばね部６６ａ，ｂのうちの一方６６ａを、複数の横溝部５２のうち一つの該横溝部５２に挿入するとともに、他方の板ばね部６６ｂを、別の横溝部５２に挿入し、各横溝部５２の内周壁部（側壁部）５３に形成されている係合部５４に係止させればよい。係合部５４は、上記係合される上記板ばね部６６ａ，ｂの先端部分の係止爪６７が該係合部５４に係合されるような向きで形成されていればよく、上記内周壁部５３における両側に形成されていても、片側のみに形成されていてもよい。この一対の板ばね部６６ａ，ｂが挿入される二つの横溝部５２は、互いに対向する該板ばね部６６ａ，ｂの間隔に応じて適宜選択される。また、シャーシ３０の底面３０ａに形成される横溝部５２の数は、シャーシ３０に収容され得る線状光源２２と同数であればよい。あるいは、上記ランプクリップ６０が備える光源保持部６２の数または上記一対の板ばね部６６ａ，ｂの間隔に応じて、適宜数と配置を調整して横溝部５２を形成してもよい。この実施形態では、一つのランプクリップ６０が３つの光源保持部６２を備えていることを考慮して、図７Ａに示されるように、一対の板ばね部６６ａ，ｂがそれぞれ係止される二つの横溝部５２が、３本の線状光源２２ごとに形成されている。このようなランプクリップ６０と横溝部５２を備えるシャーシ３０は、図７Ｃに示されるように、装着された一つのランプクリップ６０につき３本の線状光源２２を保持した状態で複数の線状光源２２を収容することができる。このことにより、ランプクリップ６０を装着する数を減じることができるので、その分の材料費や装着作業の手間を低減することができる。なお、この実施形態に係る反射部材２６に形成される挿通孔２７は、ランプクリップ６０が装着される位置に対応するように設ければよい。
【００３５】
さらに別の一実施形態（例３）に係るバックライト装置は、図８Ａに示されるように、複数の線状光源２２が互いに平行になるように並列しており、その長手方向１に直交する方向に沿って各線状光源２２の配置に対応するように形成された複数の溝状の凹陥部（縦溝部）７２を備えている。そして、かかる縦溝部７２の内周壁部７３には、後述のランプクリップ８０の係止部８６が係止される係合部７４が形成されている。この実施形態では、図８Ａに示されるように、縦溝部７２の内周壁部７３における溝方向の両側において、後述の一対の板ばね部８６ａ，８６ｂ（以下、単に「一対の板ばね部８６ａ，ｂ」とする。）がそれぞれ係合する二つの係合部７４が互いに対向するように複数箇所に形成されている。シャーシ３０の底面３０ａに形成される縦溝部７２の数およびその形成される位置は、線状光源２２を長手方向１に沿って保持する箇所によって適宜決定される。また、上記内周壁部７３に形成される各係合部７４同士の間隔は、以下のランプクリップ８０が備える複数の光源保持部８２同士の間隔に対応させればよい。すなわち、このバックライト装置は、図８Ｂに示されるように、複数の光源保持部８２（図８Ｂでは３つの光源保持部８２ａ，８２ｂ，８２ｃ）と複数の係止部８６を有するランプクリップ８０を備えており、該係止部８６は、一対の板ばね部８６ａ，ｂを備え、該板ばね部８６ａ，ｂの先端部分には係止爪８７が形成されている。この実施形態では、一つのランプクリップ８０が備える係止部８６は、光源保持部８２の数に対応させて３つ形成されている。また、かかる係止部８６における一対の板ばね部８６ａ，ｂは、互いに対向する方向が上記長手方向１と平行になるような向きで形成されている。
【００３６】
ランプクリップ８０を上記縦溝部７２に係止させる場合には、上記一対の板ばね部８６ａ，ｂを一つの縦溝部７２に挿入し、該縦溝部７２の内周壁部７３に形成された係合部７４に上記一対の板ばね部８６ａ，ｂを係止させればよい。このようなランプクリップ８０と縦溝部７２を備えるシャーシ３０は、図７Ｃに示される上記ランプクリップ６０を備えた場合と同様に、装着された一つのランプクリップ８０につき３本の線状光源２２を保持した状態で複数の線状光源２２を収容することができる。
【図面の簡単な説明】
【００３７】
【図１】本実施形態（例１）に係るバックライト装置を備えた液晶表示装置の構成を模式的に示す分解斜視図である。
【図２】本実施形態に係るバックライト装置を備えた液晶表示装置の構成を模式的に示す断面図である。
【図３】本実施形態に係るバックライト装置におけるシャーシに対する線状光源とランプクリップの配置を模式的に示す平面図である。
【図４Ａ】図２で囲まれるＩＶ部分を拡大した図である。
【図４Ｂ】係合部とは異なる形態の係合部にランプクリップが装着された状態を示す模式的な断面図である。
【図５】シャーシの底面を模式的に示す平面図である。
【図６】シャーシの底面に形成された凹陥部に挿入される状態のランプクリップを示す模式的な斜視図である。
【図７Ａ】他の実施形態（例２）に係るシャーシの底面に形成された溝状の凹陥部を模式的に示す平面図である。
【図７Ｂ】他の実施形態（例２）に係るランプクリップを模式的に示す正面図である。
【図７Ｃ】他の実施形態（例２）に係るシャーシに対する線状光源とランプクリップの配置を模式的に示した平面図である。
【図８Ａ】他の実施形態（例３）に係るシャーシの底面に形成された溝状の凹陥部を模式的に示す平面図である。
【図８Ｂ】他の実施形態（例３）に係るランプクリップを模式的に示す斜視図である。
【図９】従来のランプクリップがシャーシに装着された状態を模式的に示す断面図である。
【符号の説明】
【００３８】
１  長手方向
１０  液晶パネル
１１  アレイ基板
１２  カラーフィルタ（ＣＦ）基板
１３  液晶層
１４  外部回路
１５  シール材
１６，１７  偏光板
１８  ベゼル
２０  バックライト装置
２２  線状光源
２４  光学部材
２６  反射部材
２７  挿通孔
２８  フレーム
３０  シャーシ
３０ａ  底面
３２  凹陥部
３３  内周壁部
３４，３５  係合部
４０  ランプクリップ
４２  光源保持部
４４  基板部
４６  係止部
４６ａ，４６ｂ  板ばね部
４７  係止爪
５２  溝状の凹陥部（横溝部）
５３  内周壁部
５４  係合部
６０，８０  ランプクリップ
６２，８２  光源保持部
６６，８６  係止部
６６ａ，６６ｂ  板ばね部
８６ａ，８６ｂ  板ばね部
６７，８７  係止爪
７２  溝状の凹陥部（縦溝部）
７３  内周壁部
７４  係合部
１００  液晶表示装置
【図１】
2010135152.tif 000003
【図２】
2010135152.tif 000004
【図３】
2010135152.tif 000005
【図４Ａ】
2010135152.tif 000006
【図４Ｂ】
2010135152.tif 000007
【図５】
2010135152.tif 000008
【図６】
2010135152.tif 000009
【図７Ａ】
2010135152.tif 000010
【図７Ｂ】
2010135152.tif 000011
【図７Ｃ】
2010135152.tif 000012
【図８Ａ】
2010135152.tif 000013
【図８Ｂ】
2010135152.tif 000014
【図９】
2010135152.tif 000015